(57)【特許請求の範囲】
【請求項１】
媒体に液体を噴射して記録する記録部と、
該記録部のメンテナンスを行うメンテナンス部と、
該メンテナンス部によるメンテナンスに伴って排出された廃液を貯留する廃液ユニットを装着可能な装着部と、
前記装着部に前記廃液ユニットが装着された場合に該廃液ユニットに前記廃液を導入する導入部と、
を備え、
前記装着部は、種類の異なる前記廃液ユニットを選択して装着できるように、何れかの廃液ユニットを取り付けるための取付部を有し、
前記導入部は、前記装着部の上面に形成されていることを特徴とする記録装置。
【請求項２】
前記装着部には、外観形状の大きさが異なる前記廃液ユニットが選択して装着されることを特徴とする請求項１に記載の記録装置。
【請求項３】
前記取付部は、
第１廃液ユニットが前記装着部に装着された場合に前記第１廃液ユニットと係合可能な係合部と、
前記第１廃液ユニットよりも小さな第２廃液ユニットが前記装着部に装着された場合に前記第２廃液ユニットと係合する係合部材を保持するための保持部と、
を備えることを特徴とする請求項１又は請求項２に記載の記録装置。
【請求項４】
前記導入部は、前記装着部に前記第１廃液ユニットが装着された場合に該第１廃液ユニットに前記廃液を導入する第１導入部であり、
前記装着部に前記第２廃液ユニットが装着された場合に該第２廃液ユニットに前記廃液を導入する第２導入部をさらに備え、
前記係合部は、
前記装着部の上面に形成された凸条部を有し、
前記保持部は、
ばねを保持可能なばね保持部と、
端子を保持可能な端子保持部と、
を有することを特徴とする請求項３に記載の記録装置。
【請求項５】
前記第１導入部と前記第２導入部は、前記装着部に前記廃液ユニットを装着する装着方向において位置が異なることを特徴とする請求項４に記載の記録装置。
【請求項６】
前記装着部は、前記第２導入部が形成された形成部材を支持する支持部を有することを特徴とする請求項４又は請求項５に記載の記録装置。
【請求項７】
前記装着部は、重力方向と交差する方向に向かって開口する開口部を有することを特徴とする請求項１〜請求項６のうち何れか一項に記載の記録装置。
【発明の詳細な説明】
【技術分野】
【０００１】
本発明は、例えばインクジェット式プリンターなどの記録装置に関する。
【背景技術】
【０００２】
従来から、記録ヘッド（記録部）のメンテナンスに伴って生じた廃液を貯留する廃液タンク（廃液ユニット）を備えるインクジェット式記録装置が知られている（例えば特許文献１）。この廃液タンクは、記録装置に固定された固定式であり、三方を囲む側壁に廃液吸収材を収容することにより形成されている。そして、固定式の廃液タンクでは、上部を開放して廃液を蒸発させていた。
【０００３】
また、貯留された廃液の量に関する情報を保持するＩＣチップを備え、廃液で満杯になった際に交換可能とする交換式の廃液ユニットも知られている（例えば特許文献２）。この交換式の廃液ユニットでは、装置本体から引き抜かれる際に手掛かりとなる凹部や蓋を設け、交換時の利便性を高めていた。
【０００４】
そして、廃液ユニットを固定式とするか交換式とするかは、記録装置の機種毎に選択されていた。
【先行技術文献】
【特許文献】
【０００５】
【特許文献１】特開２００１−３４１３２７号公報
【特許文献２】特開２０１２−１９２６６７号公報
【発明の概要】
【発明が解決しようとする課題】
【０００６】
ところで、固定式と交換式の何れの形式を所望するかはユーザーによって異なる。しかし、製品のラインアップとして固定式と交換式の双方の製品を取り揃えるためには、製品を別々に製造しなければならず製造コストが増加してしまう。
【０００７】
本発明は、こうした実情に鑑みてなされたものであり、その目的は、製造コストを抑えて製品のラインアップを増やすことができるようにした記録装置を提供することにある。
【課題を解決するための手段】
【０００８】
以下、上記課題を解決するための手段及びその作用効果について記載する。
上記課題を解決する記録装置は、媒体に液体を噴射して記録する記録部と、該記録部のメンテナンスを行うメンテナンス部と、該メンテナンス部によるメンテナンスに伴って排出された廃液を貯留する廃液ユニットを装着可能な装着部と、を備え、前記装着部は、種類の異なる前記廃液ユニットを選択して装着できるように、何れかの廃液ユニットを取り付けるための取付部を有する。
【０００９】
この構成によれば、装着部には、種類の異なる廃液ユニットを選択して装着できる。そのため、例えば交換式の廃液ユニットと固定式の廃液ユニットのうち何れかの廃液ユニットを選択して装着部に装着できる。したがって、製造コストを抑えて製品のラインアップを増やすことができる。
【００１０】
上記記録装置において、前記装着部には、外観形状の大きさが異なる前記廃液ユニットが選択して装着されるのが好ましい。
この構成によれば、装着部には、想定される使用形態に適した大きさの廃液ユニットを選択して装着できる。
【００１１】
上記記録装置において、前記取付部は、第１廃液ユニットが前記装着部に装着された場合に前記第１廃液ユニットと係合可能な係合部と、前記第１廃液ユニットよりも小さな第２廃液ユニットが前記装着部に装着された場合に前記第２廃液ユニットと係合する係合部材を保持するための保持部と、を備えるのが好ましい。
【００１２】
この構成によれば、第１廃液ユニットが装着部に装着された場合には係合部が係合し、第１廃液ユニットよりも小さな第２廃液ユニットが装着部に装着された場合には、保持部に保持された係合部材が係合する。したがって、廃液ユニットの大きさに応じて係合する態様を変更できる。
【００１３】
上記記録装置は、前記装着部に前記第１廃液ユニットが装着された場合に該第１廃液ユニットに前記廃液を導入する第１導入部と、前記装着部に前記第２廃液ユニットが装着された場合に該第２廃液ユニットに前記廃液を導入する第２導入部と、をさらに備え、前記係合部は、前記装着部の上面に形成された凸条部を有し、前記保持部は、ばねを保持可能なばね保持部と、端子を保持可能な端子保持部と、を有するのが好ましい。
【００１４】
この構成によれば、第１導入部と第２導入部とを備えることにより、装着部に装着された廃液ユニットに適した位置から廃液を導入することができる。そして、装着部に第１廃液ユニットが装着された場合には、第１廃液ユニットに凸条部が係合することにより、第１廃液ユニットを押えることができる。また、装着部に第２廃液ユニットが装着された場合には、ばね保持部と端子保持部に保持されたばねと端子とが第２廃液ユニットに係合することにより、第２廃液ユニットが備える記憶素子と通信可能となる。
【００１５】
上記記録装置において、前記第１導入部と前記第２導入部は、前記装着部に前記廃液ユニットを装着する装着方向において位置が異なるのが好ましい。
例えば交換式の廃液ユニットは、交換時に手を掛ける手掛部を有し、交換式と固定式の廃液ユニットでは、廃液を貯留する部分の装着方向における幅が異なることがある。その点、この構成によれば、第１廃液ユニットに対応する第１導入部と、第２廃液ユニットに対応する第２導入部が、装着方向に位置をずらして設けられることにより、廃液ユニットに適した位置から廃液を導入できる。
【００１６】
上記記録装置において、前記装着部は、前記第２導入部が形成された形成部材を支持する支持部を有するのが好ましい。
この構成によれば、装着部に第２廃液ユニットを装着する場合には、形成部材を支持部に支持させることにより、第２導入部を設けることができる。また、装着部に第１廃液ユニットを装着する場合には、形成部材を設けないことにより、廃液ユニットを装着可能な空間を広げ、より大きな廃液ユニットを装着できる。
【００１７】
上記記録装置において、前記装着部は、重力方向と交差する方向に向かって開口する開口部を有するのが好ましい。
この構成によれば、重力方向と交差する方向に向かって開口する開口部から廃液ユニットを装着できる。すなわち、例えば重力方向側に開口する開口部を設ける場合に比べ、廃液ユニットを容易に装着できる。
【図面の簡単な説明】
【００１８】
【図１】一実施形態の記録装置を備える複合機の斜視図。
【図２】記録装置の模式図。
【図３】固定式の第１廃液ユニットの斜視図。
【図４】図３における４−４線矢視断面図。
【図５】交換式の第２廃液ユニットの斜視図。
【図６】図５における第２廃液ユニットの６−６線矢視断面図。
【図７】装着部の背面側からの斜視図。
【図８】第１廃液ユニットが装着された装着部の断面図。
【図９】装着部の平面図。
【図１０】形成部材が取り付けられた装着部の斜視図。
【図１１】形成部材の斜視図。
【図１２】第２廃液ユニットが装着された装着部の断面図。
【図１３】第１廃液ユニットが装着された装着部の斜視図。
【図１４】第１廃液ユニットが装着された装着部の平面図。
【図１５】第２廃液ユニットが装着された装着部の平面図。
【発明を実施するための形態】
【００１９】
以下、記録装置の一実施形態を図面に従って説明する。
図１に示すように、複合機１１は、プリンターなどの記録装置１２と、記録装置１２上に配置された画像読取装置１３と、画像読取装置１３に原稿を送る自動給紙装置１４とを備え、全体として略直方体状をなしている。そして、記録装置１２の前面側には、複合機１１の各種の操作を行うためのタッチパネルやボタンなどの操作部１５が設けられている。この操作部１５の重力方向Ｚ側には、例えば用紙などの媒体１６を収容可能な媒体収容部１７が着脱可能に装着されている。さらに、操作部１５と媒体収容部１７との間の位置には、媒体収容部１７から供給されて記録（印刷）された媒体１６が排出される排出部１８が設けられている。また、記録装置１２の背面側における一方の角部には、カバー１９が取り付けられている。
【００２０】
図２に示すように、記録装置１２は、略直方体状の筐体２１と、媒体１６に液体（例えばインク）を噴射して記録する記録部２２と、記録部２２のメンテナンスを行うメンテナンス部２３とを備えている。
【００２１】
記録部２２は、ガイド軸２５に支持されて走査方向Ｘに往復移動可能なキャリッジ２６と、キャリッジ２６に搭載された記録ヘッド２７とを備えている。なお、走査方向Ｘとは、媒体１６が媒体支持部２８に支持されつつ搬送される搬送方向Ｙと交差（例えば直交）する方向である。また、キャリッジ２６にはインクカートリッジなどの液体収容体２９が着脱可能に装着される。そして、記録ヘッド２７は、液体収容体２９から供給された液体をノズルから噴射することにより、媒体支持部２８に支持された媒体１６に記録を行う。
【００２２】
また、メンテナンス部２３は、記録ヘッド２７に対して相対移動可能に設けられたキャップ３１と、キャップ３１に上流端が接続された排出路３２と、排出路３２の途中に設けられた排出ポンプ３３とを備える。なお、排出ポンプ３３は、キャップ３１が記録ヘッド２７に接触することで閉塞された空間を減圧することで、ノズルからインクを排出させる所謂クリーニングを行う。また、キャップ３１は、ノズルの目詰まりなどを予防及び解消する目的で全てのノズルから記録とは無関係に液体を噴射する所謂フラッシングに伴って排出された液体も受容する。そして、排出路３２の下流端側には、メンテナンス部２３によるメンテナンス（クリーニングやフラッシングなど）に伴って排出された廃液を貯留する廃液ユニット３４を装着可能な装着部３５が設けられている。なお、この装着部３５には、外観形状の大きさが異なる廃液ユニット３４のうち１つの廃液ユニット３４が選択して装着される。
【００２３】
次に、装着部３５に装着される廃液ユニット３４について説明する。
図３に示すように、第１廃液ユニット３４Ａは、上方（反重力方向）が開口した固定式の廃液ユニットである。この第１廃液ユニット３４Ａは、重力方向Ｚと交差（例えば直交）する方向であって、第１廃液ユニット３４Ａの長手方向でもある装着方向Ａに沿って装着部３５に挿入されることにより、この装着部３５に装着される。なお、固定式の第１廃液ユニット３４Ａとは、複合機１１の使用者による交換が想定されていない廃液ユニット３４である。
【００２４】
第１廃液ユニット３４Ａは、有底箱状の第１ケース３７と、第１ケース３７に収容された第１吸収材３８とを備えている。そして、第１ケース３７は、重力方向Ｚ及び装着方向Ａと交差（例えば直交）する幅方向Ｂ（短手方向）において互いに間隔を有して設けられた第１側壁部３７ａ及び第２側壁部３７ｂを有している。さらに、第１ケース３７は、装着方向Ａにおいて前側に位置する前壁部３７ｃと、装着方向Ａにおいて前壁部３７ｃとは反対の後側に位置する後壁部３７ｄとを有している。そして、第１側壁部３７ａ及び第２側壁部３７ｂの上端には、第１廃液ユニット３４Ａが装着部３５に装着される際に案内される被案内部３７ｅが突出して形成されている。
【００２５】
また、第１吸収材３８は、幅方向Ｂに複数枚（本実施形態では７枚）重ねられた状態で第１ケース３７に収容されている。また、積層された第１吸収材３８において、後壁部３７ｄ寄りの位置には、第１凹部３９が形成されている。すなわち、第１凹部３９は、複数の第１吸収材３８のうち、内側に配置される少なくとも１つ（図３では３つ）の第１吸収材３８を上方から切り欠くことにより形成されている。
【００２６】
また、第１ケース３７において、第１側壁部３７ａには、外側の面から張り出すように張出部４０が形成されている。そして、第１廃液ユニット３４Ａは、張出部４０に形成された溝部４０ａに係合可能な第１ねじ４１ａによって装着部３５に固定される。
【００２７】
図３，図４に示すように、第１ケース３７の第１側壁部３７ａ及び第２側壁部３７ｂには、複数の段差が形成されている。すなわち、第１廃液ユニット３４Ａは、前壁部３７ｃの高さが、後壁部３７ｄの高さよりも低く、前壁部３７ｃ側から後壁部３７ｄ側に向かって順に高さが高くなるように階段状に形成されている。そして、第１吸収材３８にも、第１側壁部３７ａ及び第２側壁部３７ｂの形状に合わせて段差が形成されている。さらに、図４に示すように、第１ケース３７の前壁部３７ｃには、幅方向Ｂの略中央位置に側面視及び平面視で略矩形状の板部４２が突出形成されている。
【００２８】
図５に示すように、第２廃液ユニット３４Ｂは、第１廃液ユニット３４Ａよりも体積が小さな交換式の廃液ユニットである。そして、第２廃液ユニット３４Ｂは、第２廃液ユニット３４Ｂの長手方向でもある装着方向Ａに沿って装着部３５に挿入されることにより、この装着部３５に装着される。なお、交換式の第２廃液ユニット３４Ｂとは、複合機１１の使用者による交換が想定されている廃液ユニット３４である。
【００２９】
そして、本実施形態の第２廃液ユニット３４Ｂは、幅方向Ｂにおける大きさが第１廃液ユニット３４Ａと略同じであるのに対し、装着方向Ａ及び重力方向Ｚにおける大きさが第１廃液ユニット３４Ａよりも小さい。そして、第２廃液ユニット３４Ｂに貯留可能な廃液の量は、第１廃液ユニット３４Ａに比べて少ない。
【００３０】
第２廃液ユニット３４Ｂは、略直方体形状をした有底箱状の第２ケース４４と、第２ケース４４の上方の開口を覆う蓋部材４５と、第２ケース４４に収容された第２吸収材４６とを備えている。
【００３１】
第２ケース４４は、幅方向Ｂにおいて互いに間隔を有して設けられた第１側壁部４４ａ及び第２側壁部４４ｂと、装着方向Ａにおいて前側に位置する前壁部４４ｃと、装着方向Ａにおいて前壁部４４ｃとは反対の後側に位置する後壁部４４ｄとを有している。
【００３２】
そして、第１側壁部４４ａには、平面視で略三角形状の突起部４７が外側の面から突出して形成されている。すなわち、突起部４７は、装着方向Ａにおける両側が斜面とされており、前壁部４４ｃ側の斜面は、後壁部４４ｄ側の斜面よりもなだらかに形成されている。
【００３３】
また、第２側壁部４４ｂには、第２廃液ユニット３４Ｂが装着部３５に装着された場合に、係合部材の一例である端子４８と係合可能な記憶素子４９が設けられている。なお、端子４８は、端子支持部５０を介して装着部３５に保持され、記憶素子４９と係合することで記憶素子４９と通信可能となる。そして、第２廃液ユニット３４Ｂの後壁部４４ｄには、手掛部５１が設けられている。
【００３４】
蓋部材４５には、前壁部４４ｃ側となる前端から装着方向Ａとは反対の抜脱方向に沿って略中央位置まで窪ませた窪み部４５ａが形成されている。また第２吸収材４６は、幅方向Ｂに複数枚（本実施形態では７枚）重ねられた状態で第２ケース４４に収容されている。
【００３５】
図６に示すように、積層された第２吸収材４６において、装着方向Ａ及び幅方向Ｂの略中央位置には、第２凹部５２が形成されている。すなわち、第２凹部５２は、複数の第２吸収材４６のうち、内側に配置される少なくとも１つの第２吸収材４６を上方から切り欠くことにより形成されている。
【００３６】
次に装着部３５について説明する。
図７に示すように、装着部３５は、筐体２１の背面側に設けられ、カバー（図１参照）１９が外されることにより露出する。すなわち、装着部３５は、記録装置１２において重力方向Ｚと交差する方向（本実施形態では後方）に向かって開口する開口部５４を有している。そして、廃液ユニット３４は、開口部５４が形成された後方から前方に向かう装着方向Ａに沿って挿入されることにより装着部３５に装着される。なお、本実施形態では、装着方向Ａと搬送方向Ｙが略一致すると共に、幅方向Ｂと走査方向Ｘとが略一致する。
【００３７】
開口部５４における側方位置には、第１廃液ユニット３４Ａが装着された場合に、第１ねじ４１ａが螺合する第１ねじ穴４１ｂが形成された係合部の一例である当接部５５が形成されている。さらに、装着部３５の底面における開口部５４寄りの位置には、略矩形状の穴部５６が形成されている。
【００３８】
そして、装着部３５の上面には、装着部３５の内側（重力方向Ｚ側）に向かって突出する略矩形状の突出部５７が形成されている。この突出部５７には、装着方向Ａに沿うように延びる少なくとも１つ（本実施形態では複数）の係合部の一例である凸条部５８と、係合部の一例である案内部５９とが形成されている。なお、凸条部５８は、第１廃液ユニット３４Ａが備える第１吸収材３８の数と同数（本実施形態では７つ）形成されている。また、案内部５９は、幅方向Ｂにおいて凸条部５８の両側に一対形成され、被案内部３７ｅを案内する。そして、凸条部５８と案内部５９の開口部５４側の角は面取りされている。また、突出部５７における開口部５４側の背面５７ａには、開口部５４と同様に後方に向かって開口した略矩形穴状の第１支持部６０が形成されている。
【００３９】
また、突出部５７には、装着部３５に第１廃液ユニット３４Ａが装着された場合に第１廃液ユニット３４Ａに廃液を導入する第１導入部６１が形成されている。すなわち、第１支持部６０は、第１導入部６１が形成された突出部５７に形成されている。さらに、開口部５４における上方位置には、第２ねじ（図８参照）６２ａが螺合する第２ねじ穴６２ｂと、重力方向Ｚに突出した舌片部６３とが形成されている。
【００４０】
図８に示すように、装着部３５に第１廃液ユニット３４Ａが装着される場合には、第１導入部６１に排出チューブ６５が差し込まれる。なお、排出チューブ６５は、可撓性を有し、排出路３２を形成する。そして、第１導入部６１は、装着部３５に装着された第１廃液ユニット３４Ａにおいて、第１凹部３９の上方に位置するように形成されている。
【００４１】
装着部３５において装着方向Ａ側の端には、係合部の一例である挿入孔６６が形成されている。この挿入孔６６は、装着部３５に装着された第１廃液ユニット３４Ａの板部４２と係合する。また、装着部３５に第１廃液ユニット３４Ａが装着された場合には、穴部５６に係合可能な第１凸部６７を有する第１カバー１９Ａに開口部５４が覆われる。
【００４２】
図９，図１０に示すように、装着部３５は、係合部材の一例であるばね６９を保持可能なばね保持部７０と、端子（図５参照）４８を保持可能な端子保持部７１とを有する。すなわち、ばね保持部７０と端子保持部７１とにより、第２廃液ユニット３４Ｂが装着部３５に装着された場合に第２廃液ユニット３４Ｂと係合するばね６９と端子４８を保持するための保持部が構成されている。
【００４３】
なお、端子保持部７１には、端子支持部５０を介して端子４８が保持される。すなわち、端子保持部７１には、端子支持部５０が係合する略円柱状の一対のボス部７２と、端子支持部５０を固定する第３ねじ（図１２参照）７３ａが螺合する一対の第３ねじ穴７３ｂとが形成されている。
【００４４】
装着部３５における幅方向Ｂの両側には、第４ねじ７４ａが螺合する第４ねじ穴７４ｂが形成された一対の第２支持部７５が形成されている。なお、第２支持部７５は、第１支持部６０と共に第２導入部７６が形成された形成部材７７を支持する支持部として機能する。なお、第２導入部７６は、装着部３５に第２廃液ユニット３４Ｂが装着された場合に、第２廃液ユニット３４Ｂに廃液を導入する。
【００４５】
図１１，図１２に示すように、形成部材７７は、第２導入部７６が形成された導入部材７９と、導入部材７９を支持する支持部材８０とを備えている。支持部材８０には、装着方向Ａ（長手方向）に位置をずらして嵌合穴８１と係止部８２とが形成されている。また、導入部材７９には、嵌合穴８１に嵌合する嵌合部８３と、係止部８２に係止される被係止部８４とが形成されている。なお、嵌合部８３には、第５ねじ８５ａが螺合する第５ねじ穴８５ｂが形成されている。すなわち、導入部材７９と支持部材８０は、被係止部８４が係止部８２に係止されると共に、嵌合穴８１に嵌合部８３が嵌合した状態で第５ねじ８５ａにより固定される。
【００４６】
また、支持部材８０は、第１支持部６０に支持される第１被支持部８６と、第２支持部７５に支持される第２被支持部８７とを有している。すなわち、形成部材７７は、装着部３５に第２廃液ユニット３４Ｂが装着される場合に、第１支持部６０と第２支持部７５とに支持されるように取り付けられると共に、第４ねじ７４ａにより固定される。
【００４７】
図１２に示すように、装着部３５に第２廃液ユニット３４Ｂが装着される場合には、第２導入部７６に排出チューブ６５が差し込まれる。なお、第２導入部７６は、装着部３５に装着された第２廃液ユニット３４Ｂにおいて、第２凹部５２の上方に位置するように形成されている。また、第１導入部６１と第２導入部７６は、装着部３５に廃液ユニット３４を装着する装着方向Ａ及び重力方向Ｚにおいて位置が異なるように形成されている。
【００４８】
また、装着部３５に第２廃液ユニット３４Ｂが装着された場合には、穴部５６に係合可能な第２凸部８９を有する第２カバー１９Ｂに開口部５４が覆われる。なお、第２凸部８９の形状は、第１凸部６７の形状と略同じである。そして、第２カバー１９Ｂにおいて、第２凸部８９が形成された一端（下端）側とは反対の他端（上端）側には、弾性変形可能であると共に、舌片部６３と係合可能な爪部９０が形成されている。
【００４９】
次に、第１廃液ユニット３４Ａを装着部３５に装着する場合の作用について説明する。なお、第１廃液ユニット３４Ａを装着する場合の装着部３５には、ばね６９、端子４８及び端子支持部５０、形成部材７７は設けられておらず、排出チューブ６５は、第１導入部６１に接続されている。
【００５０】
図１３に示すように、まず開口部５４から第１廃液ユニット３４Ａを挿入する。このとき案内部５９が被案内部３７ｅを案内することにより、第１廃液ユニット３４Ａは、装着方向Ａに沿って差し込まれる。そして、第１廃液ユニット３４Ａの張出部４０は、装着部３５の当接部５５に当接する。そして、第１廃液ユニット３４Ａは、第１ねじ４１ａによって装着部３５に固定される。すなわち、当接部５５は、第１廃液ユニット３４Ａが装着部３５に装着された場合に、第１廃液ユニット３４Ａの張出部４０と係合可能である。
【００５１】
図１４に示すように、装着部３５に第１廃液ユニット３４Ａが装着されると、挿入孔６６には板部４２が挿入されて係合する。また、装着方向Ａにおいて、挿入孔６６は、端子保持部７１よりも前方側（奥側）に位置している。また、第１廃液ユニット３４Ａを装着する場合には、端子４８及び端子支持部５０が取り付けられない。そのため、第１廃液ユニット３４Ａは、端子４８及び端子支持部５０が取り付けられるスペースにまで張り出すようにして装着される。
【００５２】
図８に示すように、第１廃液ユニット３４Ａが装着部３５に装着された状態では、凸条部５８は、第１吸収材３８を上方から押えるようにして係合する。すなわち、装着部３５に第１廃液ユニット３４Ａを装着する場合には、当接部５５、凸条部５８、案内部５９、挿入孔６６が第１廃液ユニット３４Ａと係合可能な係合部として機能する。すなわち、当接部５５、凸条部５８、案内部５９、挿入孔６６は、種類の異なる廃液ユニット３４のうち、第１廃液ユニット３４Ａを選択して装着できるように第１廃液ユニット３４Ａを取り付けるための取付部として機能する。具体的には、当接部５５、凸条部５８、案内部５９、挿入孔６６は、装着部３５に装着可能な廃液ユニット３４のうち、少なくとも１種類の廃液ユニット（本実施形態では第１廃液ユニット３４Ａ）と係合する。そして、当接部５５、凸条部５８、案内部５９、挿入孔６６は、装着部３５に第１廃液ユニット３４Ａとは異なる少なくとも１種類の廃液ユニット（本実施形態では第２廃液ユニット３４Ｂ）が装着された場合には、この廃液ユニットとは係合しない。
【００５３】
そして、第１廃液ユニット３４Ａを装着部３５に装着した後、第１カバー１９Ａを取り付ける。すなわち、第１カバー１９Ａの第１凸部６７を穴部５６に係合させると共に、第１凸部６７が形成された一端（下端）側を支点として回動させて開口部５４を覆う。そして、第１カバー１９Ａは、他端（上端）側が第２ねじ６２ａによって固定される。
【００５４】
次に、第２廃液ユニット３４Ｂを装着部３５に装着する場合の作用について説明する。
図１０，図１２に示すように、まず装着部３５には、ばね６９、端子４８、形成部材７７を取り付ける。すなわち、ばね６９をばね保持部７０に保持させる。さらに、端子４８を支持する端子支持部５０を、ボス部７２に係合させて位置合わせすると共に、第３ねじ７３ａを螺合させることにより、端子保持部７１に保持させる。
【００５５】
そして、形成部材７７は、第１被支持部８６を第１支持部６０に支持させると共に、第２被支持部８７を第２支持部７５に支持させ、さらに第２被支持部８７と第２支持部７５とを第４ねじ７４ａで固定する。そして、形成部材７７に形成された第２導入部７６に排出チューブ６５を接続する。
【００５６】
図１２に示すように、手掛部５１を把持された第２廃液ユニット３４Ｂは、手掛部５１とは反対の前壁部４４ｃ側から装着部３５に挿入される。このとき第２廃液ユニット３４Ｂは、導入部材７９と支持部材８０との間の隙間に蓋部材４５が入り込むように挿入される。すなわち、第２廃液ユニット３４Ｂが装着されると、導入部材７９は、蓋部材４５と第２吸収材４６との間に位置する。
【００５７】
図１５に示すように、第２廃液ユニット３４Ｂが装着部３５に装着されると、ばね６９が突起部４７に係合し、ばね６９の付勢力により装着方向Ａとは反対の抜脱方向への移動が規制される。そして、第２廃液ユニット３４Ｂは、ばね６９によって記憶素子４９が端子４８側に付勢され、記憶素子４９と端子４８とが係合する。
【００５８】
すなわち、ばね保持部７０、端子保持部７１は、種類の異なる廃液ユニット３４のうち、第２廃液ユニット３４Ｂを選択して装着できるように、第２廃液ユニット３４Ｂを取り付けるための取付部として機能する。
【００５９】
図１２に示すように、第２廃液ユニット３４Ｂを装着部３５に装着した後、第２カバー１９Ｂを取り付ける。すなわち、第２カバー１９Ｂの第２凸部８９を穴部５６に係合させると共に、第２凸部８９が形成された一端（下端）側を支点として回動させる。すると、爪部９０が弾性変形しながら舌片部６３と係合する。
【００６０】
また、第２廃液ユニット３４Ｂを交換する場合には、まず第２カバー１９Ｂを取り外す。すなわち、爪部９０を変形させて舌片部６３との係合を解除し、さらに第２カバー１９Ｂを回動させる。
【００６１】
そして、使用者は、手掛部５１に手を掛け、装着方向Ａとは反対の抜脱方向に沿って第２廃液ユニット３４Ｂを引き抜く。すなわち、第２廃液ユニット３４Ｂは、ばね６９の付勢力に抗して引き抜かれる。その後、別の第２廃液ユニット３４Ｂを装着方向Ａに沿って挿入すると共に、第２カバー１９Ｂを取り付ける。
【００６２】
上記実施形態によれば、以下のような効果を得ることができる。
（１）装着部３５には、種類の異なる廃液ユニット３４を選択して装着できる。そのため、例えば交換式の第２廃液ユニット３４Ｂと固定式の第１廃液ユニット３４Ａのうち何れかの廃液ユニット３４を選択して装着部３５に装着できる。したがって、製造コストを抑えて製品のラインアップを増やすことができる。
【００６３】
（２）装着部３５には、想定される使用形態に適した大きさの廃液ユニット３４を選択して装着できる。
（３）第１廃液ユニット３４Ａが装着部３５に装着された場合には、当接部５５、凸条部５８、案内部５９、挿入孔６６が係合する。また、第１廃液ユニット３４Ａよりも小さな第２廃液ユニット３４Ｂが装着部３５に装着された場合には、ばね保持部７０及び端子保持部７１に保持されたばね６９及び端子４８が係合する。したがって、廃液ユニット３４の大きさに応じて係合する態様を変更できる。
【００６４】
（４）第１導入部６１と第２導入部７６とを備えることにより、装着部３５に装着された廃液ユニット３４に適した位置から廃液を導入することができる。そして、装着部３５に第１廃液ユニット３４Ａが装着された場合には、第１廃液ユニット３４Ａに凸条部５８が係合することにより、第１廃液ユニット３４Ａを押えることができる。また、装着部３５に第２廃液ユニット３４Ｂが装着された場合には、ばね保持部７０と端子保持部７１に保持されたばね６９と端子４８とが第２廃液ユニット３４Ｂに係合することにより、第２廃液ユニット３４Ｂが備える記憶素子４９と通信可能となる。
【００６５】
（５）例えば交換式の第２廃液ユニット３４Ｂは、交換時に手を掛ける手掛部５１を有し、交換式と固定式の廃液ユニット３４では、廃液を貯留する吸収材の装着方向Ａにおける幅が異なることがある。その点、第１廃液ユニット３４Ａに対応する第１導入部６１と、第２廃液ユニット３４Ｂに対応する第２導入部７６が、装着方向Ａに位置をずらして設けられることにより、廃液ユニット３４に適した位置から廃液を導入できる。
【００６６】
（６）装着部３５に第２廃液ユニット３４Ｂを装着する場合には、形成部材７７を第１支持部６０及び第２支持部７５に支持させることにより、第２導入部７６を設けることができる。また、装着部３５に第１廃液ユニット３４Ａを装着する場合には、形成部材７７を設けないことにより、廃液ユニット３４を装着可能な空間を広げ、より大きな廃液ユニット３４を装着できる。
【００６７】
（７）重力方向Ｚと交差する後方に向かって開口する開口部５４から廃液ユニットを装着できる。すなわち、例えば重力方向Ｚ側に開口する開口部５４を設ける場合に比べ、廃液ユニット３４を容易に装着できる。
【００６８】
（８）廃液ユニット３４は、廃液が滴下した位置付近に廃液が留まりやすいため、廃液ユニットの中心付近に導入部を位置させるのが好ましい。その点、第２廃液ユニット３４Ｂを装着部３５に装着する際に、第２導入部７６が形成された形成部材７７を装着部３５に取り付けることにより、第１導入部６１と第２導入部７６の位置を変更できる。したがって、例えば第２廃液ユニット３４Ｂに手掛部５１を設けたり、第２廃液ユニット３４Ｂの形状を変更したりしても、第２廃液ユニット３４Ｂに適した位置から廃液を導入できる。
【００６９】
（９）第１廃液ユニット３４Ａを階段状に形成することにより、記録装置１２の空きスペースに第１吸収材３８を配置できる。したがって、第１廃液ユニット３４Ａの体積をより大きくすることができる。
【００７０】
なお、上記実施形態は以下のように変更してもよい。
・上記実施形態において、装着部３５には３種類以上の廃液ユニット３４のうち何れか１つの廃液ユニットを選択して装着可能としてもよい。
【００７１】
・上記実施形態において、第１ケース３７には、１つの第１吸収材３８を収容してもよい。また、第２ケース４４には、１つの第２吸収材４６を収容してもよい。
・上記実施形態において、端子保持部７１には、ボス部７２と第３ねじ穴７３ｂとのうち少なくとも一方を形成しなくてもよい。例えば、嵌合や接着などにより端子支持部５０を保持してもよい。また、端子支持部５０を備えず、端子保持部７１が端子４８を直接保持してもよい。
【００７２】
・上記実施形態において、第１廃液ユニット３４Ａは、記憶素子を備えてもよい。また、第２廃液ユニット３４Ｂは、蓋部材４５、記憶素子４９、手掛部５１を備えない構成としてもよい。
【００７３】
・上記実施形態において、開口部５４が開口する方向は任意に変更することができる。例えば、側方、前方、下方、上方などに開口させてもよい。
・上記実施形態において、装着部３５は、第１支持部６０及び第２支持部７５を備えなくてもよい。例えば、形成部材７７は、装着部３５に接着や溶着などにより取り付けてもよい。
【００７４】
・上記実施形態において、第２廃液ユニット３４Ｂを装着する場合でも、装着部３５に形成部材７７を取り付けなくてもよい。すなわち、排出チューブ６５を第１導入部６１に接続し、第１導入部６１から第２廃液ユニット３４Ｂに廃液を排出してもよい。このとき第２廃液ユニット３４Ｂを下方から支持する支持台を備えてもよい。また、第２廃液ユニット３４Ｂは、第１導入部６１から導入された廃液を第２凹部５２に導く導入路を備えてもよい。
【００７５】
・上記実施形態において、第１導入部６１と第２導入部７６は、装着方向Ａと重力方向Ｚのうち少なくとも一方の方向において位置が同じでもよい。また、第１導入部６１と第２導入部は、幅方向Ｂにおいて位置が異なってもよい。
【００７６】
・上記実施形態において、装着部３５は、第１導入部６１と第２導入部７６を備えていなくてもよい。例えば排出チューブ６５を第１廃液ユニット３４Ａもしくは第２廃液ユニット３４Ｂに接続してもよい。
【００７７】
・上記実施形態において、装着部３５は、当接部５５、凸条部５８、案内部５９、挿入孔６６のうち少なくとも１つを係合部として備えればよい。すなわち、例えば装着部３５は、当接部５５を備えず、第１廃液ユニット３４Ａを装着部３５に固定しなくてもよい。
【００７８】
・上記実施形態において、装着部３５は、ばね保持部７０と端子保持部７１のうち少なくとも一方を備えていればよい。例えば、装着部３５に端子保持部７１を形成し、ばね保持部７０を形成部材７７に形成してもよい。
【００７９】
・上記実施形態において、装着部３５は、当接部５５、凸条部５８、案内部５９、挿入孔６６を備えず、装着部３５に第１廃液ユニット３４Ａが装着される場合に第１廃液ユニット３４Ａと係合する係合部材を保持する保持部を備えてもよい。
【００８０】
・上記実施形態において、装着部３５は、ばね保持部７０及び端子保持部７１を備えず、第２廃液ユニット３４Ｂと係合可能な係合部を備えてもよい。
・上記実施形態において、第１廃液ユニット３４Ａと第２廃液ユニット３４Ｂの形状や大きさは、任意に変更してもよい。例えば、固定式の第１廃液ユニット３４Ａの形状を、交換式の第２廃液ユニット３４Ｂと同じ形状にしてもよい。また、第２廃液ユニット３４Ｂの大きさを第１廃液ユニット３４Ａの大きさよりも大きくしてもよい。
【００８１】
・上記実施形態において、記録装置は、インク以外の他の液体（機能材料の粒子が液体に分散又は混合されてなる液状体、ゲルのような流状体を含む）を噴射したり吐出したりして記録を行う液体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の装置に本発明を適用することができる。なお、本明細書において「液体」とは、例えば無機溶剤、有機溶剤、溶液、液状樹脂、液状金属（金属融液）等を含む。
【符号の説明】
【００８２】
Ａ…装着方向、Ｂ…幅方向、Ｘ…走査方向、Ｙ…搬送方向、Ｚ…重力方向、１１…複合機、１２…記録装置、１３…画像読取装置、１４…自動給紙装置、１５…操作部、１６…媒体、１７…媒体収容部、１８…排出部、１９…カバー、１９Ａ…第１カバー、１９Ｂ…第２カバー、２１…筐体、２２…記録部、２３…メンテナンス部、２５…ガイド軸、２６…キャリッジ、２７…記録ヘッド、２８…媒体支持部、２９…液体収容体、３１…キャップ、３２…排出路、３３…排出ポンプ、３４…廃液ユニット、３４Ａ…第１廃液ユニット、３４Ｂ…第２廃液ユニット、３５…装着部、３７…第１ケース、３７ａ…第１側壁部、３７ｂ…第２側壁部、３７ｃ…前壁部、３７ｄ…後壁部、３７ｅ…被案内部、３８…第１吸収材、３９…第１凹部、４０…張出部、４０ａ…溝部、４１ａ…第１ねじ、４１ｂ…第１ねじ穴、４２…板部、４４…第２ケース、４４ａ…第１側壁部、４４ｂ…第２側壁部、４４ｃ…前壁部、４４ｄ…後壁部、４５…蓋部材、４５ａ…窪み部、４６…第２吸収材、４７…突起部、４８…端子（係合部材の一例）、４９…記憶素子、５０…端子支持部、５１…手掛部、５２…第２凹部、５４…開口部、５５…当接部（係合部、取付部の一例）、５６…穴部、５７…突出部、５７ａ…背面、５８…凸条部（係合部、取付部の一例）、５９…案内部（係合部、取付部の一例）、６０…第１支持部（支持部の一例）、６１…第１導入部、６２ａ…第２ねじ、６２ｂ…第２ねじ穴、６３…舌片部、６５…排出チューブ、６６…挿入孔、６７…第１凸部、６９…ばね（係合部材の一例）、７０…ばね保持部（保持部、取付部の一例）、７１…端子保持部（保持部、取付部の一例）、７２…ボス部、７３ａ…第３ねじ、７３ｂ…第３ねじ穴、７４ａ…第４ねじ、７４ｂ…第４ねじ穴、７５…第２支持部（支持部の一例）、７６…第２導入部、７７…形成部材、７９…導入部材、８０…支持部材、８１…嵌合穴、８２…係止部、８３…嵌合部、８４…被係止部、８５ａ…第５ねじ、８５ｂ…第５ねじ穴、８６…第１被支持部、８７…第２被支持部、８９…第２凸部、９０…爪部。
【図１】
0006657927.tif 000002
【図２】
0006657927.tif 000003
【図３】
0006657927.tif 000004
【図４】
0006657927.tif 000005
【図５】
0006657927.tif 000006
【図６】
0006657927.tif 000007
【図７】
0006657927.tif 000008
【図８】
0006657927.tif 000009
【図９】
0006657927.tif 000010
【図１０】
0006657927.tif 000011
【図１１】
0006657927.tif 000012
【図１２】
0006657927.tif 000013
【図１３】
0006657927.tif 000014
【図１４】
0006657927.tif 000015
【図１５】
0006657927.tif 000016